(57)【要約】【解決手段】  本発明は、第１歯群（１０ａ）を含む、第１可動部（１０）と、前記第１可動部と噛合し、前記第１可動部により駆動されることが意図される、第２歯群（１１ａ）を含む、第２可動部（１１）と、前記第２可動部と噛合し、前記第２可動部により駆動されることが意図される、第３歯群（１４ａ）を含む、第３可動部（１４）と、を含む、時計伝達システム（９０）であって、前記第１歯群の前記第２歯群との噛合は不可逆であり、前記第３歯群の前記第２歯群との噛合は不可逆である、システムに関する。【選択図】  図４
2021518554.tif 000002
【特許請求の範囲】
【請求項１】
第１歯群（１０ａ）を含む、第１可動部（１０）と、
第２歯群（１１ａ）を含む、第２可動部（１１）であって、前記第１可動部と噛合し、前記第１可動部により駆動されることが意図される、第２可動部（１１）と、
第３歯群（１４ａ）を含む、第３可動部（１４）であって、前記第２可動部と噛合し、前記第２可動部により駆動されることが意図される、第３可動部（１４）と、
を含む、時計伝達システム（９０）であって、
前記第１歯群の前記第２歯群との噛合は不可逆であり、前記第３歯群の前記第２歯群との噛合は不可逆である、
時計伝達システム（９０）。
【請求項２】
前記第１歯群は非対称プロファイルの歯を含む、及びまたは前記第３歯群は非対称プロファイルの歯を含む、
請求項１に記載の伝達システム。
【請求項３】
前記第２歯群は対称プロファイルの歯を含む、
請求項１または２に記載の伝達システム。
【請求項４】
前記第２可動部は、時間情報または時間から派生する情報を表示するための要素（２）が固定される、特に噛合により固定される可動部であり、特に分表示用要素が固定される分可動部または秒表示用要素が固定される秒可動部である、
請求項１から３のいずれか一項に記載の伝達システム。
【請求項５】
前記システムは、フレーム（５０）を含み、前記第１可動部は、前記フレーム上で第１真（１０ｂ）周りに旋回され、前記第２可動部は、前記フレーム上で第２真（１１ｂ）周りに旋回され、前記第３可動部は、前記フレームに対して可動な要素（２０）上で第３真（１４ｂ）周りに旋回される、
請求項１から４のいずれか一項に記載の伝達システム。
【請求項６】
前記可動要素は、前記フレーム上で第４真（２０ｂ）周りに旋回されるレバーである、
請求項５に記載の伝達システム。
【請求項７】
前記可動要素は、前記第２及び第３歯群が噛合する第１位置と、前記第２及び第３歯群が噛合しない第２位置との間で可動である、
請求項５または６に記載の伝達システム。
【請求項８】
前記システムは、選択要素及びまたは修正要素を含み、前記可動要素は、前記選択要素の及びまたは前記修正要素の作動に応じて移動されるよう配置される、
請求項５から７のいずれか一項に記載の伝達システム。
【請求項９】
請求項１から８のいずれか一項に記載のシステム（９０）を含む、時計機構（１００）、特に時計ムーブメント、特に機械式時計ムーブメント。
【請求項１０】
請求項９に記載の機構及びまたは請求項１から８のいずれか一項に記載のシステムを含む、時計（２００）、特に腕時計。
【請求項１１】
請求項５から８のいずれか一項に記載の時計システム、または請求項５から８のいずれか一項に記載の時計システムを含む時計機構、または請求項５から８のいずれか一項に記載の時計システムを含む時計、の作動方法であって、
前記第２及び第３歯群が噛合する第１位置から、前記第２及び第３歯群が噛合しない第２位置へ移動するステップ、
前記第２可動部を第１方向または第２方向へ回転することで、時計表示を修正するステップ、
前記可動要素を前記第２位置から前記第１位置へ移動するステップ、
を含む、作動方法。
【発明の詳細な説明】
【技術分野】
【０００１】
本発明は、機械式時計伝達システムに関する。本発明はまた、当該システムを含む、時計機構に関する。本発明はまた、当該時計システムまたは当該時計機構を含む、時計に関する。
【背景技術】
【０００２】
時計において、時間情報または時間から派生する情報を示す要素は、時計の装着者の動きや時計が受ける衝撃または時計の向きによる、制御されない動きに曝されないことが、重要である。要約すると、時間情報または時間から派生する情報を示す要素の動きが、時計の経験する加速によって引き起こされないことが重要である。
【０００３】
これは、時間情報または時間から派生する情報を示す要素が著しい慣性を示すときに、例えば時間情報または時間から派生する情報を示す要素がディスクの場合、特に重要である。
【０００４】
この問題は、時間情報または時間から派生する情報を示す要素が、歯車列の可動部に締着または固定されている場合には発生しない、なぜならば、時計の動作中にこれら可動部が常に主ぜんまいによって張力下にあるからである。
【０００５】
しかしながら、動作間隙を有する伝達装置により歯車列にリンクされた時間情報または時間から派生する情報を示す他の要素については、その予期せぬ動きを、特にフラッタリングを、防止するための手段を設けることが必要となる。このため、例えば、伝達装置に摩擦を設けたり、ジャンパの助力により時間情報または時間から派生する情報を示す要素を割出すための提供がなされたりしてもよい。
【０００６】
このような解決策は、エネルギーを消費し、時間測定に悪影響をもたらす。
【発明の概要】
【発明が解決しようとする課題】
【０００７】
本発明の目的は、上記の欠点を改善可能で、従来技術から既知のシステムを改善可能な伝達システムを提供することにある。特に、本発明は、過度なエネルギー消費をすることなく、また時間測定に悪影響をもたらすことなく、時間情報または時間から派生する情報を示す要素の予期せぬ動きを回避可能な伝達システムを提案する。
【課題を解決するための手段】
【０００８】
本発明に係るシステムは、請求項１に定義される。
【０００９】
システムの様々な実施形態は、従属請求項２から８に定義される。
【００１０】
本発明に係る機構は、請求項９に定義される。
【００１１】
本発明に係る時計は、請求項１０に定義される。
【００１２】
本発明にかかる方法は、請求項１１に定義される。
【００１３】
添付の図面は、例として、本発明にかかる時計の実施形態を示す。
【図面の簡単な説明】
【００１４】
【図１】図１は、時計の実施形態に係る、文字盤側の模式図である。
【図２】図２は、文字盤が除去された時計の実施形態の模式図である。
【図３】図３は、時計の実施形態に係る機械式伝達システムの実施形態の図である。
【図４】図４は、時計の実施形態に係る機械式伝達システムの実施形態の図である。
【図５】図５は、時計の実施形態に係る機械式伝達システムの実施形態の図である。
【図６】図６は、時計の実施形態に係る機械式伝達システムの実施形態の図である。
【図７】図７は、時計の実施形態に係る機械式伝達システムの実施形態の図である。
【図８】図８は、時計の実施形態に係る機械式伝達システムの実施形態の図である。
【図９】図９は、時計の実施形態に係る機械式伝達システムの実施形態の図である。
【発明を実施するための形態】
【００１５】
時計２００の実施形態を、図１から図９を参照して以下に説明する。時計は、例えば小型時計、特に腕時計である。時計は、時計機構、特に機械式小型時計ムーブメント１００を含む。時計ムーブメントは、例えば、手動巻き上げ型または自動巻き上げ型である。
【００１６】
ムーブメントは、例えば香箱と発振器との間に、歯車列を含む。歯車列は、例えば、１２時歯車７、特にムーブメントの中心に１２時歯車を含み、その上に時を表示するための要素、例えば時表示用ディスク１が固定される。このディスクは、例えば、ムーブメント上にまたは取り付けられた文字盤上に設けられた、縁３と、特に時インデックス３１を含む縁と協働する、三角や矢印といったマーキングを含む。この協働により、時を表示することが可能になる。
【００１７】
当該ムーブメントにおいて、歯車列の一部である筒かな４は、１２時間で１回転をする。歯車６と時歯車を駆動する歯車５は、筒かなに押圧される。
【００１８】
当該ムーブメントにおいて、歯車５は、例えば、分表示用ディスク２といった分を表示するための要素を駆動する。当該ディスクは、例えば、ムーブメント上にまたは取り付けられた文字盤上に設けられた、縁と、特に時インデックスを含む縁と協働する、三角や矢印といったマーキングを含む。この協働により、分を表示することが可能になる。同じ縁を、時の表示と分の表示に用いることができる。ディスク２は、例えば、ディスククラウンである。
【００１９】
ディスク２は、歯車８、９、１０、１１、及び１２の歯車群を介して歯車５により駆動される。歯車５、８、９、１０、及び１１は、外歯群の歯車である。歯車１２は、内歯群を有する歯付きリングである。ディスク２は、歯付リング１２に取り付けられまたは固定される。
【００２０】
歯付リング１２は、例えば、ムーブメントのフレーム５０上で、ローラ５１の、例えばフレーム上に搭載された３つのローラ５１の助力により、案内される。
【００２１】
このため、ディスク２は、歯車５、８、及び９の下流の伝達装置９０を介して歯車５により駆動される。
【００２２】
時計伝達システム９０は、
第１歯群１０ａを含む第１可動部１０と、
第２歯群１１ａを含む第２可動部１１であって、第１可動部と噛合し、第１駆動部により駆動されることが意図される第２可動部１１と、
第３歯群１４ａを含む第３可動部１４であって、第２可動部と噛合し、第２可動部により駆動されることが意図される第３可動部１４と、
を含む。
【００２３】
第１歯群の第２歯群との噛合は不可逆であり、第３歯群の第２歯群との噛合は不可逆である。
【００２４】
「第１歯群の第２歯群との噛合が不可逆である」という表現は、噛合により、特に歯群により、第１可動部は第２可動部を両方向に駆動可能であり、第２可動部は第１可動部を一方向のみに駆動可能であることを意味する。
【００２５】
「第３歯群の第２歯群との噛合は不可逆である」という表現は、噛合により、特に歯群により、第３可動部は第２可動部を両方向に駆動可能であり、第２可動部は第３可動部を一方向のみに駆動可能であることを意味する。
【００２６】
更に、歯群は、第２可動部が第１可動部を駆動することのできる方向は、第２可動部が第３可動部を駆動することのできる方向と反対であるようにされる。
【００２７】
この設計の結果、第２及び第３歯群が噛合すると、第２可動部は、第１または第３可動部のどちらかにより駆動されない限り、第１可動部も第３可動部も駆動することができない。
【００２８】
上述のように、第２可動部は、時間情報または時間から派生する情報を表示するための要素が、特に分を表示するための要素が、特に噛合により固定される、可動部である。
【００２９】
これらの不可逆性を達成するために、第１歯群は非対称プロファイルの歯を含む、及びまたは第３歯群は非対称プロファイルの歯を含む。「非対称」プロファイルとは、各歯が第１側面と第２側面を有し、第１及び第２側面は、それぞれ歯の頂点を通過する第１可動部の半径または第３可動部の半径に対して非対称であることを意味する。
【００３０】
好ましくは、第２歯群は、対称プロファイルの歯を含む。第２歯群は、例えば、標準プロファイルの歯群である。これは、第１可動部が、回転の両方向に第２可動部を駆動可能にすることを保証する。
【００３１】
第１可動部１０は、フレーム５０上で第１真１０ｂ周りに旋回される。
【００３２】
第２可動部１１は、フレーム５０上で第２真１１ｂ周りに旋回される。
【００３３】
第３可動部１４は、フレーム５０に対して可動である要素２０上で第３真１４ｂ周りに旋回される。第３可動部は、自由に取り付けられる。第３可動部の回転に抵抗するわずかな摩擦が存在してもよい。
【００３４】
可動要素は、例えば、フレーム５０上で第４真２０ｂ周りに旋回されるレバーである。
【００３５】
可動要素は、有利には、第２及び第３歯群が噛合する第１位置と、第２及び第３歯群が噛合しない第２位置との間で可動である。第１位置は、好ましくは、可動要素が第１位置において接触する第１ストップ２１により定義される。第２位置は、好ましくは、可動要素が第２位置において接触する第２ストップ２２により定義される。
【００３６】
有利には、システムは、選択要素およびまたは修正要素を含む。可動要素は、好ましくは、選択要素の、およびまたは修正要素の、作動に応じて移動されるよう配置される。このため、有利には、可動要素は、時修正選択用要素が作動されたときに、または時修正要素が作動されたときに、第２位置に移動される。加えて、可動要素は、時修正選択用要素がもはや作動されなくなったときに、または時修正要素がもはや作動されなくなったときに、第１位置に移動されてもよい。
【００３７】
選択要素およびまたは修正要素は、軸９９を含んでもよい。
【００３８】
特に、可動要素２０の運動は、（図８で模式的に示される）軸９９により制御される引き抜き片機構９８により制御されてもよい。
【００３９】
時計２００またはムーブメント１００または伝達システムの作動方法を実施する態様を、以下に説明する。
【００４０】
伝達システムは、初めは、図８に示す構成にあると仮定する。この構成において、第１可動部１０は、反時計回り方向に回転し、第２可動部を時計回り方向に駆動する。第２可動部は、第３可動部を反時計回り方向に駆動する。この構成において、第２歯群の反対側の側面は、一方では第１可動部と、他方では第３可動部と、接する。
【００４１】
第２可動部が、自身を時計回り方向に回転させようとする加速にさらされると、第１及び第２歯群の間に突合せが生じ、第２可動部の回転が阻止される。
【００４２】
第２可動部が、自身を反時計回り方向に回転させようとする加速にさらされると、第２及び第３歯群の間に突合せが生じ、第２可動部の回転が阻止される。
【００４３】
第１及び第２歯群の歯は、少なくとも第１歯群の１本の歯が、第２歯群の２つの連続するまたは隣接する歯の間で最小限の間隙で位置されるように、また少なくとも第３歯群の１本の歯が、第２歯群の他の２つの連続するまたは隣接する歯の間で最小限の間隙で位置されるように、配置及びまたは寸法付けられる。例えば、間隙は、反対方向の２つの不動化の間の、第２可動部の第２真１１ｂ周りの角度移動は、１０°以下である、または６°以下である、または４°以下であるというものである。これは、反対方向の２つの不動化の間の、回転軸周りの、歯付リング１２の角度移動、従って時間情報または時間から派生する情報表示用要素２の移動は、３°以下である、または１．８°以下である、または１．２°以下であることになる。このような歯群の配置の結果、加速によって第２可動部が付勢されても、第１可動部または第３可動部との接触点で、第２可動部を不動化させる突合せが生じる。当該突合せは、上述の間隙の補償に続いて行われる。間隙の値を考慮すると、当該運動は、ユーザが感知できるものではない。加えて、当該突合せは、第２可動部を不動化し、不動化がなければ歯車５、８、９、１０により伝達され筒かなの摩擦トルクを克服可能となりかねない運動を防止する。
【００４４】
可動要素は、第２及び第３歯群が噛合する第１位置から、第２及び第３歯群が噛合しない第２位置へ移動される。この移動は、選択要素または修正要素の作用により実施される。この結果、伝達システムは、図９に示す構成になる。
【００４５】
当該構成において、第１可動部１０は、時表示を修正するために、時計回り及び反時計回り方向に回転される。
【００４６】
その後可動要素は、第２位置から第１位置へ移動される。この移動は、選択要素または修正要素の作用により実施される。この結果、伝達システムは、図８に示す構成になる。
【００４７】
本実施形態において、時間情報を表示するための要素または時間から派生する情報を表示するための要素は、分表示用可動部である。代替的に、時間情報を表示するための要素または時間から派生する情報を表示するための要素は、特に、秒表示用要素であってもよい。
【００４８】
開示した実施形態において、時間情報を表示するための要素または時間から派生する情報を表示するための要素は、ディスクである。代替的に、時間情報を表示するための要素または時間から派生する情報を表示するための要素は、特に、針であってもよい。
【００４９】
開示した実施形態において、第３可動部は、可動要素上で旋回される。代替的に、第３可動部は、直接フレーム上で旋回されてもよい。この場合、第２及び第３可動部は、永続的に噛合が維持され、時間表示の修正は、時計回り方向のみで実施可能である。
【００５０】
上述の不可逆性を実施可能にすることを条件として、説明したものとは異なるあらゆるタイプの歯群を、第１、第２、及び第３歯群を形成するために使用してもよい。
【００５１】
伝達システムは、時計情報の表示への適用で説明された。しかしながら、本伝達システムは、伝達システムが実施する駆動の不可逆性を保証する必要があるあらゆる適用に用いることができる。
【図１】
2021518554.tif 000003
【図２】
2021518554.tif 000004
【図３】
2021518554.tif 000005
【図４】
2021518554.tif 000006
【図５】
2021518554.tif 000007
【図６】
2021518554.tif 000008
【図７】
2021518554.tif 000009
【図８】
2021518554.tif 000010
【図９】
2021518554.tif 000011
【国際調査報告】
2021518554.tif 000012
2021518554.tif 000013
2021518554.tif 000014
2021518554.tif 000015